(57)【要約】【課題】モータやプランジャーなどの専用の動力部品を設けずに、減光素子の減光率を切り替えることができる光ディスク装置を提供する。【解決手段】ＢＤ用のＬＤ３ｄ１から出射される光の強度を変更するために減光フィルタ３ｌを光ディスク１４の径方向にスライド自在に設け、ベース１５にピン部材１８ａ，１８ｂを設けておき、記録層が２層のＢＤであった場合は光ピックアップ３を最内周よりも内周へ移動してピン部材１８ａで押すことで透明ガラス３ｌ２からＮＤフィルタ３ｌ１へ切り替え、記録層が１層のＢＤであった場合は光ピックアップ３を最外周よりも外周へ移動してピン部材１８ｂで押すことでＮＤフィルタ３ｌ１から透明ガラス３ｌ２へ切り替える。【選択図】図５
2009110559.tif 000002
【特許請求の範囲】
【請求項１】
光源と前記光源から出射された光の強度を減光する減光手段と光ディスクからの反射光を受光する受光手段とを備えた光ピックアップと、前記光ピックアップを前記光ディスクの径方向に移動させる移動手段と、を有する光ディスク装置において、
前記減光手段が、減光率を切り替えることが可能であると同時に移動自在に前記光ピックアップに取り付けられ、
前記光ピックアップが前記移動手段により移動する範囲の両端のうち少なくともいずれか一方に位置付けられた際に、前記減光手段の前記減光率を切り替える切替手段を有することを特徴とする光ディスク装置。
【請求項２】
前記切替手段が、前記光ピックアップが前記光ディスクにおいて情報が記録されている最内周よりも内周または最外周よりも外周のうち少なくともいずれか一方に位置付けられた際に前記減光手段の減光率を切り替えることを特徴とする請求項１に記載の光ディスク装置。
【請求項３】
前記切替手段が前記減光手段の減光率を切り替えを行ったことを検出するスイッチを備えたことを特徴とする請求項１または２に記載の光ディスク装置。
【請求項４】
前記切替手段が、前記光ピックアップが前記移動手段により移動する範囲の両端に設けられた突起状のピン部材で構成されていることを特徴とする請求項１乃至３のうちいずれか一項に記載の光ディスク装置。
【請求項５】
前記光ピックアップが、前記減光手段の前記減光率を一つの減光率に固定する固定手段を備えたことを特徴とする請求項１乃至４のうちいずれか一項に記載の光ディスク装置。
【請求項６】
前記減光手段が、互いに異なる減光率の複数の光学素子が前記光ディスクの径方向に並べて構成されるとともに、前記光ディスクの径方向にスライド自在に設けられていることを特徴とする請求項１乃至５のうちいずれか一項に記載の光ディスク装置。
【請求項７】
前記減光手段が、互いに異なる減光率の複数の光学素子から構成され、前記光ディスクの円周方向を軸として回転自在に設けられていることを特徴とする請求項１乃至５のうちいずれか一項に記載の光ディスク装置。
【請求項８】
前記光ディスクの再生中に前記減光率が切り替わったことを検出する検出手段と、前記検出手段が前記光ディスクの再生中に前記減光率が切り替わったことを検出したときに前記切替手段に前記減光手段の前記減光率を切り替えさせる復帰手段と、を備えたことを特徴とする請求項７に記載の光ディスク装置。
【請求項９】
前記検出手段が、前記光ディスクの再生中に前記受光手段が受光した前記反射光から得られた電気信号に基づいて前記光ディスクの再生中の前記減光率の切り替わりを検出することを特徴とする請求項８に記載の光ディスク装置。
【発明の詳細な説明】
【技術分野】
【０００１】
本発明は、再生する光ディスクに応じてレーザ光の光量を減光するフィルタなどを備えた光ディスク装置に関する。
【背景技術】
【０００２】
例えば、ブルーレイディスク（以下ＢＤと記す）では、複数の記録層が形成されたディスクの場合、１層の記録層で形成されたディスクの情報を再生する際と比べて、レーザ光の強度が異なるように定められている。
【０００３】
従来、このようなディスクを再生するために異なるレーザ光を生成するには、出射するレーザ光のパワーをそれぞれのディスクに合わせて直接変更する方法がある。
【０００４】
しかし、レーザダイオードは光ディスクからの反射光が逆行することによってノイズが発生し、このノイズは、出射するレーザ光のパワーが低いほど増大する。したがって、レーザ光のパワーを直接変更する方法では光ディスクの種類によっては再生する際にノイズが発生するという問題があった。
【０００５】
上述した問題を解決する方法として、特許文献１に記載の光ディスク装置が提案されている。特許文献１の光ディスク装置は、レーザダイオードから出射するパワーを一定にして、減光光学素子を用いて減光量を調整することで光ディスクに照射されるパワーを調整する方法が記載されている。
【特許文献１】特開２００３−２５７０７２号公報
【発明の開示】
【発明が解決しようとする課題】
【０００６】
特許文献１に記載のような光ディスク装置は、通常、モータやプランジャーなどの動力によって光学素子の光透過率を例えば１００％と５０％との切り替えを行っている。この場合、動力部の部品によるコストアップや小型化が困難という問題があった。
【０００７】
そこで、本発明は、例えばモータやプランジャーなどの専用の動力部品を設けずに、減光素子の減光率を切り替えることができる光ディスク装置を提供することを課題とする。
【課題を解決するための手段】
【０００８】
上記課題を解決するために、請求項１に記載の光ディスク装置は、光源と前記光源から出射された光の強度を減光する減光手段と光ディスクからの反射光を受光する受光手段とを備えた光ピックアップと、前記光ピックアップを前記光ディスクの径方向に移動させる移動手段と、を有する光ディスク装置において、前記減光手段が、減光率を切り替えることが可能であると同時に移動自在に前記光ピックアップに取り付けられ、前記光ピックアップが前記移動手段により移動する範囲の両端のうち少なくともいずれか一方に位置付けられた際に、前記減光手段の前記減光率を切り替える切替手段を有することを特徴としている。
【発明を実施するための最良の形態】
【０００９】
以下、本発明の一実施形態にかかる光ディスク装置を説明する。本発明の一実施形態にかかる光ディスク装置は、光源が出射した光の強度を減光する減光手段を備えた光ピックアップが移動手段により移動する範囲の両端のうち少なくともいずれか一方に位置付けられた際に、切替手段が減光手段の減光率を切り替えているので、光ピックアップが径方向に移動する動力を用いて減効率の切り替えを行うことができるために、減光手段を切り替えるための専用の動力源が不要となる。
【００１０】
また、切替手段が、光ピックアップが光ディスクにおいて情報が記録されている最内周よりも内周または最外周よりも外周のうち少なくともいずれか一方に位置付けられた際に減光手段の減光率を切り替えてもよい。このようにすることにより、光ディスクの情報が記録された領域以外の位置で減光率の切り替えをすることができるので、再生に影響を及ぼさない位置での切り替えが可能となる。
【００１１】
また、切替手段が減光手段の減光率を切り替えを行ったことを検出するスイッチを備えてもよい。このようにすることにより、減光率の切り替えの検出を行うことができ、再生などの装置の動作を制御しているマイコンなどで減光率の切り替え状態の把握をすることができる。
【００１２】
また、切替手段が、光ピックアップが移動手段により移動する範囲の両端に設けられた突起状のピン部材で構成されていてもよい。このようにすることにより、移動してきた光ピックアップの減光手段をピン部材で押すことで容易に減光率を切り替えることができる。
【００１３】
また、光ピックアップが、減光手段の減光率を一つの減光率に固定する固定手段を備えてもよい。このようにすることにより、切り替えた際に減光率を確実に固定することができる。
【００１４】
また、減光手段が、互いに異なる減光率の複数の光学素子が光ディスクの径方向に並べて構成されるとともに、光ディスクの径方向にスライド自在に設けられてもよい。このようにすることにより、切替手段によって押されることでスライドして減光率を切り替えることができる。
【００１５】
また、減光手段が、互いに異なる減光率の複数の光学素子から構成され、光ディスクの円周方向を軸として回転自在に設けられてもよい。このようにすることにより、切替手段によって押されることで回転して減光率を切り替えることができる。
【００１６】
また、光ディスクの再生中に減光率が切り替わったことを検出する検出手段と、検出手段が光ディスクの再生中に減光率が切り替わったことを検出したときに切替手段に減光手段の減光率を切り替えさせる復帰手段と、を備えてもよい。このようにすることにより、外部から加わる振動・衝撃などによって光ディスク再生中に減光手段の減光率が誤って切り替わってしまった場合でも本来の減光率に復帰させることができる。
【００１７】
また、検出手段が、光ディスクの再生中に受光手段が受光した反射光から得られた電気信号に基づいて光ディスクの再生中に減光率が切り替わったことを検出してもよい。このようにすることにより、反射光から得られた電気信号のレベルなどによって減光率の変化、すなわち減光率の切り替わりを検出することができる。
【実施例１】
【００１８】
本発明の第１の実施例にかかる光ディスク装置としての光ディスク再生装置１を図１乃至図６を参照して説明する。光ディスク再生装置１は、ＣＤ、ＤＶＤ、ＢＤが再生可能な装置であり、図１に示すようにディスクモータ２と、光ピックアップ３と、キャリッジモータ４と、リードスクリュー５と、ＲＦアンプ６と、サーボ信号処理部７と、ドライバ８と、音声／映像信号処理部９と、メモリ１０と、ＤＡコンバータ１１と、マイクロコンピュータ１２と、音声信号／映像信号出力端子１３とを備えている。
【００１９】
ディスクモータ２は、光ディスク再生装置１にセットされた光ディスク１４を回転させるためのモータであり、スピンドルモータなどで構成されている。
【００２０】
光ピックアップ３は、光ディスク１４に照射するレーザ光を発生させるレーザダイオードや、光ディスク１４上にレーザダイオードからのレーザ光を集光するための対物レンズ、サーボ信号処理部７からの信号によりフォーカス方向やトラッキング方向に対物レンズを駆動するためのアクチュエータおよび光ディスク１４から反射された反射光を受けるフォトダイオードや、レーザ光を対物レンズへ導いたり、反射光を受光器へ導く光学系などを備え、フォトダイオードの出力から光ディスク１４に記録されている映像や音楽などを含むＲＦ信号やフォーカスエラー信号およびトラッキングエラー信号などを生成しＲＦアンプ６へ出力する。
【００２１】
光ピックアップ３の平面図を図２乃至図４に示す。光ピックアップ３は、図示しない光ディスク再生装置１の筐体に収容されたベース１５に光ディスク１４の径方向に平行に取り付けられた案内軸１６ａ、１６ｂやリードスクリュー５などにより光ディスク１４の径方向に沿って移動自在に取り付けられている。光ピックアップ３は、ケース３ａと、アクチュエータ３ｂと、対物レンズ３ｃ１、３ｃ２と、光源としてのレーザダイオード（以下、ＬＤと記す）３ｄ１，３ｄ２と、受光手段としてのフォトダイオード（以下、ＰＤと記す）３ｅと、ダイクロィックプリズム３ｆと、偏光プリズム３ｇと、コリメータレンズ３ｈと、マルチレンズ３ｉと、板バネ３ｊと、支持部３ｋと、減光手段としての減光フィルタ３ｌと、を備えている。
【００２２】
ベース１５は、スイッチ１７ａ，１７ｂと、切替手段としてのピン部材１８ａ，１８ｂと、を備えている。スイッチ１７ａはベース１５の内周側に取り付けられ、光ピックアップ３のケース３ａが最内周よりも内周側に移動した際に押されることで減光フィルタ３ｌの切り替えが行われたことをマイクロコンピュータ１２に通知する。スイッチ１７ｂはベース１５の外周側に取り付けられ、光ピックアップ３のケース３ａが最外周よりも外周側に移動した際に押されることで減光フィルタ３ｌの切り替えが行われたことをマイクロコンピュータ１２に通知する。ピン部材１８ａは、ベース１５の内周側から外周側に向かって突出するように形成され、光ピックアップ３のケース３ａが最内周よりも内周側に移動した際に後述する減光フィルタ３ｌを押すことで減光フィルタ３ｌの減光率の切り替えを行う。ピン部材１８ｂは、ベース１５の外周側から内周側に向かって突出するように形成され、光ピックアップ３のケース３ａが最外周よりも外周側に移動した際に後述する減光フィルタ３ｌを押すことで減光フィルタ３ｌの減光率の切り替えを行う。すなわち、ピン部材１８ａ、１８ｂは、光ピックアップ３が移動手段により移動する範囲の両端に設けられている。
【００２３】
ケース３ａは、扁平な箱状に形成されており、案内軸１６ａ、１６ｂやリードスクリュー５などによって、光ディスク１４の径方向に沿って移動自在に支持されている。
【００２４】
アクチュエータ３ｂは、光ディスク１４の表面すなわち記録面と相対して、ケース３ａに板バネ３ｊで光ディスク１４の表面に対して直交する方向と光ディスク１４の半径方向に沿って移動自在に支持されている。アクチュエータ３ｂは、後述する対物レンズ３ｃ１、３ｃ２を光ディスク１４の表面に対して直交する方向に沿って移動して、ＬＤ３ｄ１，３ｄ２から発したレーザ光を光ディスク１４の記録面に集光し、光ディスク１４より反射されたレーザ光を再度対物レンズ３ｃ１、３ｃ２を通してＰＤ３ｅへ導く。
【００２５】
対物レンズ３ｃは、アクチュエータ３ｂに搭載され、ＢＤ用の対物レンズ３ｂ１とＣＤ／ＤＶＤ用の対物レンズ３ｂ２との２種類が取り付けられている。
【００２６】
ＬＤ３ｄ１はＢＤ、ＬＤ３ｄ２はＣＤ／ＤＶＤにそれぞれ対応した波長のレーザ光を出射し、前述したケース３ａ内に設けられている。ＬＤ３ｄ１，ＬＤ３ｄ２が出射するレーザ光は直線偏光となっている。また、ＬＤ３ｄ１は記録層が２層のＢＤを再生するのに必要な一定の光強度（パワー）で出射している。
【００２７】
ＰＤ３ｅはケース３ａ内に設けられている。また、ＰＤ３ｅは、光ディスク１４の記録面が反射したレーザ光を受光する。ＰＤ３ｅは、受光したレーザ光に応じた電気信号としてのフォーカスエラー信号やトラッキングエラー信号およびＲＦ信号を生成してＲＦアンプ６に出力する。
【００２８】
ダイクロィックプリズム３ｆは、前述したＬＤ３ｄ１，３ｄ２の近傍に配置され、該ＬＤ３ｄ１，３ｄ２からのレーザ光Ｌａが入射する。ダイクロィックプリズム３ｆは、ＬＤ３ｄ１からのレーザ光を全透過して偏光プリズム３ｇに向かって出射するとともに、ＬＤ３ｄ２からのレーザ光を全反射して偏光プリズム３ｇに向かって出射する。
【００２９】
偏光プリズム３ｇは、前述したダイクロィックプリズム３ｆの近傍に配置されているとともに、該ダイクロィックプリズム３ｆからのレーザ光が入射する。偏光プリズム３ｇは、ダイクロィックプリズム３ｆ即ちＬＤ３ｄ１，３ｄ２からのレーザ光をコリメータレンズ３ｈへ透過するとともに、光ディスク１４の記録面から反射されたレーザ光をマルチレンズ３ｉに向かって反射する。
【００３０】
コリメータレンズ３ｈは、偏光プリズム３ｇの近傍に配置されているとともに、偏光プリズム３ｇからのレーザ光を図示しない第１ミラーに向かって出射するとともに、第１ミラーから入射したレーザ光（光ディスク１４の記録面から反射されたレーザ光）を偏光プリズム３ｇに向かって出射する。
【００３１】
第１ミラーは、コリメータレンズ３ｈから入射したレーザ光のうちＬＤ３ｄ１から出射された光すなわちＢＤ用の波長の光のみを対物レンズ３ｃ１に向かって反射するとともに、ＬＤ３ｄ２から出射された光すなわちＣＤ／ＤＶＤ用の波長の光を透過し図示しない第２ミラーに向かって出射する。また、第１ミラーは対物レンズ３ｃ１からのレーザ光をコリメータレンズ３ｈに向かって反射するとともに第２ミラーから入射したレーザ光を透過する。第２ミラーは、第１ミラーから入射したレーザ光のうちＬＤ３ｄ２から出射されたレーザ光を対物レンズ３ｃ２に向かって全反射する。また、第２ミラーは対物レンズ３ｃ２からのレーザ光を第１ミラーに向かって全反射する。
【００３２】
マルチレンズ３ｉは、偏光プリズム３ｇの近傍に配置され、光ディスク１４の記録面から反射されたレーザ光をＰＤ３ｅに向かって出射する。
【００３３】
板バネ３ｊは、ケース３ａに設けられた支持部３ｋから延在しアクチュエータ３ｂを光ディスク１４の表面に対して直交する方向と光ディスク１４の半径方向に沿って移動自在に支持している。支持部３ｋは、ケース３ａに立設され、板バネ３ｊの一端を固定している。
【００３４】
減光フィルタ３ｌは、ＬＤ３ｄ１とダイクロィックプリズム３ｆとの間に配置され、ＬＤ３ｄ１から出射されたレーザ光の強度を変更してダイクロィックプリズム３ｆに出射する。減光フィルタ３ｌの正面図を図５および図６に示す。図中矢印Ｘは光ディスク１４の径方向、矢印Ｙは光ディスク１４と直交する方向を示している。減光フィルタ３ｌは、ＮＤ（Natural Density）フィルタ３ｌ１と透明ガラス３ｌ２とが矢印Ｘ方向に並んで設けられている。ＮＤフィルタ３ｌ１は入射した光の透過率が５０％（減光率が５０％）となる光学素子であり、透明ガラス３ｌ２は入射した光の透過率が１００％（減光率が０％）となる光学素子である。ＢＤの場合、記録層が１層の光強度（パワー）は２層の光強度の半分とするように規格により定められているので、ＬＤ３ｄ１の出射する光強度が２層に合わせてある本実施例の場合は、記録層が１層のＢＤのときはＮＤフィルタ３ｌ１を介し、記録層が２層のときは透明ガラス３ｌ２を介するように切り替える。
【００３５】
また、減光フィルタ３ｌは上部に後述する板バネ３ａ３の凸部が進入する凹み３ｌ３がＮＤフィルタ３ｌ１および透明ガラス３ｌ２に対応して２箇所形成されている。さらに、減光フィルタ３ｌは、図示しないガイドによって光ディスク１４の径方向と平行な方向にスライド自在となっている。すなわち、減光率を切り替えることが可能であると同時に移動自在に光ピックアップ３に取り付けられている。
【００３６】
また、ケース３ａの減光フィルタ３ｌがスライドする両端には、減光フィルタ３ｌのスライドを制限する制限部３ａ１が設けられている。制限部３ａ１には減光フィルタ３ｌと接して制限する凸部が設けられている。制限部３ａ１には後述するピン部材１８ａ、１８ｂが貫通する孔３ａ２が設けられている。さらに、制限部３ａ１の一方の上部には、固定手段としての板バネ３ａ３が設けられている。板バネ３ａ３は、先端に凸部が形成され、その凸部が減光フィルタ３ｌの凹み３ｌ３に進入することで、減光フィルタ３ｌが、ＮＤフィルタ３ｌ１または透明ガラス３ｌ２のいずれかに切り替えられた状態を固定している。すなわち、減光手段の減光率を一つの減光率に固定している。
【００３７】
減光フィルタ３ｌの凹み３ｌ３と、板バネ３ａ３とは、減光フィルタ３ｌが固定された際にＮＤフィルタ３ｌ１および透明ガラス３ｌ２の略中心にＬＤ３ｄ１から出射したレーザ光の光軸Ｐ（図５、図６中の矢印Ｘと平行な一点鎖線と矢印Ｙと平行な一点鎖線の交点）が位置付けられるような形状および長さに形成されている。
【００３８】
移動手段としてのキャリッジモータ４は、後述するリードスクリュー５を通じて光ピックアップ３を光ディスク１４の径方向に移動させるためのモータでありステッピングモータなどで構成されている。
【００３９】
リードスクリュー５は、円柱状に形成されてその外周面にネジ溝とネジ山が形成され、光ディスク１４の径方向と平行に設置されている。リードスクリュー５は、キャリッジモータ４の回転軸と機械的に接続されておりキャリッジモータ４の回転に合わせて回転する。リードスクリュー５のネジ溝やネジ山は光ピックアップ３のケース３ａに形成された図示しないネジ山やネジ溝と噛み合っており、リードスクリュー５が回転することで光ピックアップ３が光ディスク１４の径方向に沿って移動する。
【００４０】
ＲＦアンプ６は、光ピックアップ３から入力される信号を所定の値に増幅し、サーボ信号処理部７へ出力する。
【００４１】
サーボ信号処理部７は、ＲＦアンプ６から入力されるフォーカスエラー信号やトラッキングエラー信号などの制御信号を基に光ピックアップ３のアクチュエータを駆動させてフォーカスおよびトラッキングの制御などを行い光ディスク１４に記録された情報を正確に読めるようにする。また、入力されたフォーカスエラー信号のレベルをマイクロコンピュータ１２へ出力する。さらに、光ディスク１４に記録された映像や音楽などを含むＲＦ信号をアナログ／デジタル変換して音声／映像信号処理部９へ出力する。
【００４２】
ドライバ８は、サーボ信号処理部７から入力された信号からディスクモータ２および光ピックアップ３のアクチュエータ３ｂおよびキャリッジモータ４への駆動信号を生成し出力する。
【００４３】
音声／映像信号処理部９は、サーボ信号処理部７から入力された信号にエラー訂正などを行った後復調や復号を行いメモリ１０へ出力する。そしてマイクロコンピュータ１２からの要求に従ってメモリ１０から読み出してＤＡコンバータ１１へ出力する。
【００４４】
メモリ１０は、音声／映像信号処理部９で再生された音声などのデータを所定量（数秒ないし十秒程度）一時的に格納するためのメモリであり、半導体メモリで構成される。
【００４５】
ＤＡコンバータ１１は、メモリ１０に格納されたデータが入力され、そのデジタル信号であるデータをアナログ信号に変換し音声信号／映像信号出力端子１３から出力する。
【００４６】
検出手段、復帰手段としてのマイクロコンピュータ１２は、ＣＰＵ（Central Processing Unit）と、ＲＡＭ（Random Access Memory）と、ＲＯＭ（Read Only Memory）とを内蔵し、光ディスク１４の挿入や排出、再生や停止などの各操作における光ディスク再生装置１全体の制御など行い、本実施例においては減光フィルタ３ｌの切り替えのためのキャリッジモータ４の制御も行う。
【００４７】
次に、本実施例の動作を説明する。例えば、図２や図３に示すようにＬＤ３ｄ１から出射するレーザ光が透明ガラス３ｌ２を介する状態の場合で、光ディスク再生装置１にセットされた光ディスク１４が記録層１層のＢＤと判別された場合は、光ピックアップ３を光ディスク１４の情報が記録されている最内周よりもさらに内周に移動させる。そうすると、図６に示すように、減光フィルタ３ｌが、ピン部材１８ａによって押されてＮＤフィルタ３ｌ１にスライドして切り替わる。つまり、ＬＤ３ｄ１から出射されたレーザ光がＮＤフィルタ３ｌ１を介するようになる。また、減光フィルタ３ｌが切り替わると同時にスイッチ１７ａが押されマイクロコンピュータ１２が減光フィルタ３ｌの減光率が切り替わったことを認識する。すなわち、光ピックアップ３が光ディスク１４において情報が記録されている最内周よりも内周または最外周よりも外周のうち少なくともいずれか一方に位置付けられた際に減光手段の減光率を切り替えている。
【００４８】
逆に、図４に示すようにＬＤ３ｄ１から出射するレーザ光がＮＤフィルタ３ｌ１を介する状態の場合で、光ディスク再生装置１にセットされた光ディスク１４が記録層２層のＢＤと判別された場合は、光ピックアップ３を光ディスク１４の情報が記録されている最外周よりもさらに外周に移動させる。そうすると、内周の場合と同様に、減光フィルタ３ｌが、ピン部材１８ｂによって押されて透明ガラス３ｌ２にスライドして切り替わる。つまり、ＬＤ３ｄ１から出射されたレーザ光が透明ガラス３ｌ２を介するようになる。また、減光フィルタ３ｌが切り替わると同時にスイッチ１７ｂが押されマイクロコンピュータ１２が減光フィルタ３ｌの減光率が切り替わったことを認識する。
【００４９】
また、上述した記録層１層、２層のＢＤの判別は、例えば、反射光からＰＤ３ｅで得られたＲＦ信号のレベルに対して予め定めた規定値よりも大きい場合は記録層２層、規定値よりも小さい場合は記録層１層とするなどとして行ってもよい。
【００５０】
本実施例によれば、ＢＤ用のＬＤ３ｄ１から出射される光の強度を変更するために減光フィルタ３ｌを光ディスク１４の径方向にスライド自在に設け、ベース１５にピン部材１８ａ，１８ｂを形成しておき、記録層が２層のＢＤであった場合は光ピックアップ３を最内周よりも内周へ移動してピン部材１８ａで押すことで透明ガラス３ｌ２からＮＤフィルタ３ｌ１へ切り替え、記録層が１層のＢＤであった場合は光ピックアップ３を最外周よりも外周へ移動してピン部材１８ｂで押すことでＮＤフィルタ３ｌ１から透明ガラス３ｌ２へ切り替えているので、減光フィルタ３ｌの切り替えにキャリッジモータ４を動力源として使用しているために、減光フィルタ３ｌを切り替えるための専用の動力源が不要となる。
【００５１】
また、光ディスク１４の情報が記録されている最内周や最外周の位置よりも内周や外周で減光フィルタ３ｌの切り替えを行っているので、光ディスク１４の再生に影響を及ぼすことがない。
【００５２】
また、ベース１５にスイッチ１７ａ，１７ｂを備えているので、マイクロコンピュータ１２が減光フィルタ３ｌの減光率を切り替えたことを把握することができる。
【００５３】
また、光ピックアップ３のケース３ａに板バネ３ａ３を設けたので、ＮＤフィルタ３ｌ１と透明ガラス３ｌ２のうちいずれか一方の状態に確実に固定することができる。
【実施例２】
【００５４】
次に、本発明の第２の実施例を図７および図８を参照して説明する。なお、前述した第１の実施例と同一部分には、同一符号を付して説明を省略する。
【００５５】
本実施例は、減光フィルタ３ｌの構成が第１の実施例と異なる。本実施例における減光フィルタ３ｌを図７に示す。
【００５６】
本実施例の減光フィルタ３ｌは、略円盤状に形成され、ＮＤフィルタ３ｌ１と透明ガラス３ｌ２が周方向に沿って交互になるようにそれぞれ２箇所設けられている。そして、減光フィルタ３ｌの外周のＮＤフィルタ３ｌ１と透明ガラス３ｌ２に対応する箇所には凹み３ｌ４が形成されている。また、減光フィルタ３ｌは、円盤の中心を回転軸として、すなわち、矢印Ｘに対して直交する方向（光ディスク１４の円周方向）を回転軸として回転自在に取り付けられている。さらに、減光フィルタ３ｌの外周の凹み３ｌ４の一端近傍には突起３ｌ５が形成されている。
【００５７】
また、本実施例では光ピックアップ３のケース３ａに第１の実施例で設けられていた制限部３ａ１および板バネ３ａ３に代わり、固定手段として固定部材３ａ４とコイルバネ３ａ５が設けられている。固定部材３ａ４は一端がコイルバネ３ａ５と接続されているとともに他端が減光フィルタ３ｌと接している。コイルバネ３ａ５は一端が光ピックアップ３のケース３ａに固定されているとともに他端が固定部材３ａ４と接続されている。そして、固定部材３ａ４はコイルバネ３ａ５のバネ力によって減光フィルタ３ｌに押され、減光フィルタの凹み３ｌ４に進入して減光フィルタ３ｌを回転しないように固定する。
【００５８】
本実施例における減光フィルタ３ｌの動作を説明する。例えば図７のように光軸ＰがＮＤフィルタ３ｌ１を介している状態のとき、減光フィルタ３ｌの減光率を切り替えるために光ピックアップ３を、光ディスク１４の情報が記録されている最内周よりもさらに内周に移動させると、ピン部材１８ａが突起３ｌ５を押す。すると、減光フィルタ３ｌが図７の矢印Ａの方向に回転する。減光フィルタ３ｌが回転すると、固定部材３ａ４が接する位置が減光フィルタ３ｌの外周に沿って移動し、凹み３ｌ４から移動する。そして、さらに回転すると減光フィルタ３ｌがＮＤフィルタ３ｌ１と周方向で隣接する透明ガラス３ｌ２に対応する凹み３ｌ４に固定部材３ａ４が進入してコイルバネ３ａ５のバネ力でこれ以上回転しないように固定する。つまり矢印Ａの方向に９０度回転して固定される。
【００５９】
本実施例においてピン部材１８ａは、減光フィルタ３ｌの突起３ｌ５を押して周方向で隣接する突起３ｌ５にピン部材１８ａが干渉しない程度の長さである。すなわち、減光フィルタ３ｌの突起３ｌ５を押して９０度回転させる程度の長さである。
【００６０】
本実施例の場合、再生中に外部から加わる振動・衝撃等によって減光フィルタ３ｌが、固定部材３ａ４による固定力（コイルバネ３ａ５のバネ力）で固定できなくなって回転してしまい、ＮＤフィルタ３ｌ１と透明ガラス３ｌ２とが誤って切り替わってしまう可能性があるために、再生中にＲＦ信号レベルを測定し判定することで正常な状態に復帰させている。図８に初期状態が透明ガラス３ｌ２の場合の詳細な動作のフローチャートを示す。図８に示したフローチャートはマイクロコンピュータ１２のＣＰＵで実行される。
【００６１】
まず、ステップＳ１において、光ディスク（ＢＤ）１４が光ディスク再生装置１に挿入されたことを検出しステップＳ２に進む。光ディスク１４の挿入検出は、例えば、挿入口に設けた光センサなどで検出する。
【００６２】
次に、ステップＳ２において、光ディスク１４の判別を行いステップＳ３に進む。光ディスク１４の判別は、例えば、ＲＦ信号やフォーカスエラー信号のレベルなどで種別（ＣＤ／ＤＶＤ／ＢＤ）や１層／２層の判別を行う。
【００６３】
次に、ステップＳ３において、ステップＳ２で判別した光ディスク１４が１層の光ディスク（ＢＤ）であった場合（Ｙｅｓの場合）はステップＳ４に進み、そうでない場合（Ｎｏの場合）はステップＳ１１に進む。なお、本実施例においてはＮｏの場合は２層の光ディスク（ＢＤ）であるとし、ＣＤやＤＶＤと判別された場合は含まないものとする。
【００６４】
次に、ステップＳ４において、キャリッジモータ４を動作させて光ピックアップ３を光ディスク１４の情報が記録されている最内周よりも内周（内側）へ移動し、ステップＳ５に進む。すなわち、本ステップで減光フィルタ３ｌが透明ガラス３ｌ２からＮＤフィルタ３ｌ１へ切り替わっている。
【００６５】
次に、ステップＳ５において、光ディスク１４の再生を開始しステップＳ６に進む。
【００６６】
次に、ステップＳ６において、光ディスク１４の再生に伴って得られた電気信号としてのＲＦ信号のレベルを１層のＢＤの場合に得られるＲＦ信号のレベルの規定値と比較し、規定値よりも大きい場合（Ｙｅｓの場合）はステップＳ７に進み、規定値以下の場合（Ｎｏの場合）は切り替え動作を終了する。すなわち、反射光から得られた電気信号に基づいて光ディスク１４の再生中に減光率が切り替わった可能性があることを検出している。
【００６７】
次に、ステップＳ７において、ステップＳ６で比較した結果ＲＦ信号のレベルが規定値よりも大きかった、つまり、振動・衝撃等で誤って減光フィルタ３ｌが切り替わってしまったことによりＲＦ信号レベルが大きくなった可能性があると判断して、再度キャリッジモータ４を動作させて光ピックアップ３を光ディスク１４の情報が記録されている最内周よりも内周（内側）へ移動し、ステップＳ８に進む。すなわち、光ディスク１４の再生中などに減光率が切り替わった可能性があることを検出したときに切替手段に減光手段の減光率を切り替えさせて確認している。
【００６８】
次に、ステップＳ８において、光ディスク１４の再生を再開しステップＳ９に進む。
【００６９】
次に、ステップＳ９において、光ディスク１４の再生再開に伴って得られたＲＦ信号のレベルをステップＳ６で規定値と比較したＲＦ信号のレベルと比較し、ステップＳ６で比較したＲＦ信号レベルの方が大きい場合（Ｙｅｓの場合）は、振動・衝撃等で減光率が切り替わってしまった減光フィルタ３１を元の状態に戻したと判断し、切り替え動作を終了する。ステップＳ６で比較したＲＦ信号レベルの方が小さい場合（Ｎｏの場合）はステップＳ１０に進む。すなわち、減光率が正常であったにも関わらずステップＳ７で誤って切り替えたと判断し、減光フィルタ３１をもとに戻すためにステップ１０に進む。
【００７０】
ステップＳ１０において、ステップＳ９で比較した結果ステップＳ６で比較したＲＦ信号レベルの方が小さかった、つまり、ステップＳ４でＮＤフィルタ３ｌ１への切り替えは正しく行われていたが、ステップＳ６では、光ディスク１４の反射率が高いため規定値を超えてしまった等と判断して、再度キャリッジモータ４を動作させて光ピックアップ３を光ディスク１４の情報が記録されている最内周よりも内周（内側）へ移動し、切り替え動作を終了する。すなわち、光ディスク１４の再生中に減光率が切り替わったことを検出したときに切替手段に減光手段の減光率を切り替えさせている。
【００７１】
ステップＳ１１においては、光ディスク１４の再生を開始しステップＳ１２に進む。
【００７２】
次に、ステップＳ１２において、光ディスク１４の再生に伴って得られたＲＦ信号のレベルを２層のＢＤの場合に得られるＲＦ信号のレベルの規定値と比較し、規定値よりも小さい場合（Ｙｅｓの場合）はステップＳ１３に進み、規定値以上の場合（Ｎｏの場合）は切り替え動作を終了する。すなわち、反射光から得られた電気信号に基づいて光ディスク１４の再生中に減光率が切り替わった可能性があることを検出している。
【００７３】
次に、ステップＳ１３において、ステップＳ１２で比較した結果ＲＦ信号のレベルが規定値よりも小さかった、つまり、振動・衝撃等で誤って減光フィルタ３ｌが切り替わってしまったことによりＲＦ信号レベルが小さくなった可能性があると判断して、再度キャリッジモータ４を動作させて光ピックアップ３を光ディスク１４の情報が記録されている最内周よりも内周（内側）へ移動し、ステップＳ１４に進む。すなわち、光ディスク１４の再生中などに減光率が切り替わった可能性があることを検出したときに切替手段に減光手段の減光率を切り替えさせて確認している。
【００７４】
次に、ステップＳ１４において、光ディスク１４の再生を再開しステップＳ１５に進む。
【００７５】
次に、ステップＳ１５において、光ディスク１４の再生再開に伴って得られたＲＦ信号のレベルをステップＳ１２で規定値と比較したＲＦ信号のレベルと比較し、ステップＳ１２で比較したＲＦ信号レベルの方が小さい場合（Ｙｅｓの場合）は、振動・衝撃等で減光率が切り替わってしまった減光フィルタ３１を元の状態に戻したと判断し、切り替え動作を終了する。ステップＳ１２で比較したＲＦ信号レベルの方が大きい場合（Ｎｏの場合）はステップＳ１６に進む。すなわち、減光率が正常であったにも関わらずステップＳ１３で誤って切り替えたと判断し、減光フィルタ３１をもとに戻すためにステップ１４に進む。
【００７６】
ステップＳ１６において、ステップＳ１５で比較した結果ステップＳ１２で比較したＲＦ信号レベルの方が大きかった、つまり、ステップＳ１１の再生時には透明ガラス３ｌ２を用いていたが、ステップＳ１２では、光ディスク１４の反射率が低いため規定値を下回ってしまった等と判断して、再度キャリッジモータ４を動作させて光ピックアップ３を光ディスク１４の情報が記録されている最内周よりも内周（内側）へ移動し、切り替え動作を終了する。すなわち、光ディスク１４の再生中に減光率が切り替わったことを検出したときに切替手段に減光手段の減光率を切り替えさせている。
【００７７】
なお、本実施例では、光ディスク１４の内周側で説明したが、外周側で切り替えても減光フィルタ３ｌの回転方向が逆になる他は同様である。
【００７８】
本実施例によれば、減光フィルタ３ｌを、略円盤状に形成し、ＮＤフィルタ３ｌ１と透明ガラス３ｌ２が周方向に沿って交互になるようにそれぞれ２箇所設けて、光ディスク１４の円周方向を軸として回転自在にしているので、例えば内周側のピン部材１８ａのみでＮＤフィルタ３ｌ１と透明ガラス３ｌ２の切り替えを行うことができる。つまり、光ディスク１４の情報が記録されている最内周よりも内周への移動を繰り返すことで減光フィルタ３ｌの切り替えを行うことができる。
【００７９】
また、再生中に外部からの振動・衝撃などによって誤って減光フィルタが切り替わってしまってもＲＦ信号レベルを比較することで誤切り替えを検出できるので本来の正しい減光率に復帰させることができる。
【００８０】
なお、上述した実施例では透過率が５０％と１００％、すなわち減光率が５０％と０％の２種類であったが、他の減光率としてもよいし、２種類に限らず３種類以上としてもよい。
【００８１】
また、上述した実施例では記録層が２層と１層のＢＤの例で説明したが、それに限らず、１枚に複数の記録層がありそれぞれで異なる光強度（パワー）で読み出す光ディスクや、複数種の光ディスクで同じ波長のレーザ光を用いるがそれぞれ異なる光強度（パワー）で読み出す場合にも適用可能である。
【００８２】
前述した実施例によれば、以下の光ディスク装置が得られる。
【００８３】
（付記１）ＬＤ３ｄ１とＬＤ３ｄ１から出射された光の強度を減光する減光フィルタ３ｌと光ディスク１４からの反射光を受光するＰＤ３ｅとを備えた光ピックアップ３と、光ピックアップ３を光ディスク１４の径方向に移動させるキャリッジモータ４と、を有する光ディスク再生装置１において、
減光フィルタ３ｌが、減光率を切り替えることが可能であると同時に移動自在に光ピックアップ３に取り付けられ、
光ピックアップ３がキャリッジモータ４により移動する範囲の両端のうち少なくともいずれか一方に位置付けられた際に、減光フィルタ３ｌの減光率を切り替えるピン部材１８ａを有することを特徴とする光ディスク再生装置１。
【００８４】
この光ディスク再生装置１によれば、光ピックアップ３が径方向移動する動力を用いて減光フィルタ３ｌの減光率の切り替えを行うことができるために、減光フィルタ３ｌを切り替えるための専用の動力源が不要となる。
【００８５】
なお、前述した実施例は本発明の代表的な形態を示したに過ぎず、本発明は、実施例に限定されるものではない。すなわち、本発明の骨子を逸脱しない範囲で種々変形して実施することができる。
【図面の簡単な説明】
【００８６】
【図１】本発明の第１の実施例にかかる光ディスク再生装置のブロック図である。
【図２】図１に示された光ディスク再生装置の光ピックアップの平面図である。
【図３】図１に示された光ディスク再生装置の光ピックアップの平面図である。
【図４】図１に示された光ディスク再生装置の光ピックアップの平面図である。
【図５】図１に示された光ディスク再生装置の減光フィルタの正面図である。
【図６】図１に示された光ディスク再生装置の減光フィルタの正面図である。
【図７】本発明の第２の実施例にかかる減光フィルタの正面図である。
【図８】再生中の減光フィルタの切り替えを検出する動作のフローチャートである。
【符号の説明】
【００８７】
１        光ディスク再生装置（光ディスク装置）
３        光ピックアップ
３ａ３    板バネ（固定手段）
３ａ４    固定部材（固定手段）
３ａ５    コイルバネ（固定手段）
３ｄ１    レーザダイオード（光源）
３ｅ      フォトダイオード（受光手段）
３ｌ      減光フィルタ（減光手段）
３ｌ１    ＮＤフィルタ（光学素子）
３ｌ２    透明ガラス（光学素子）
４        キャリッジモータ（移動手段）
１２      マイクロコンピュータ（検出手段、復帰手段）
１４      光ディスク
１７ａ、１７ｂ   スイッチ
１８ａ、１８ｂ   ピン部材（切替手段）
【図１】
2009110559.tif 000003
【図２】
2009110559.tif 000004
【図３】
2009110559.tif 000005
【図４】
2009110559.tif 000006
【図５】
2009110559.tif 000007
【図６】
2009110559.tif 000008
【図７】
2009110559.tif 000009
【図８】
2009110559.tif 000010